(57)【特許請求の範囲】
【請求項１】
複数の電気部品を収納する第１収納空間の一角に他部品を収納する第２収納空間を隔壁を介して備え、該第２収納空間周りの外壁部分に取付ブラケットを有する電気接続箱において、前記取付ブラケットが電気接続箱本体の角部の両外壁に跨って設けられており、該取付ブラケットの電気接続箱本体との接合部が、前記第１収納空間の外壁部分の一部にまで延長して、前記隔壁と直交するように設けられていることを特徴とする電気接続箱の取付ブラケット。
【発明の詳細な説明】
【０００１】
【発明の属する技術分野】
本発明は、自動車等に搭載される電気部品を集中的に一括装着される電気接続箱の取付ブラケット構造に関する。
【０００２】
【従来の技術】
従来から自動車等の電気系統の電装回路に使用されるヒューズやリレー等を収納する電気接続箱の取付ブラケット構造に関しては種々なものが知られている。図３に示した電気接続箱５１のアンダカバー５２内には、ヒューズ５３やリレー５４を装着かつ収納するための第１収納空間５５が形成されており、その一角にはコネクタ等の他部品を収納する第２収納空間５６が形成されている。また、この第２収納空間５６周りの外壁６３、６４の一部には取付ブラケット５７が設けられている。この取付ブラケット５７は、カバー本体６０との接合部６１、６２が第２収納空間５６の外壁６３、６４の一部を外側から抱き込むように形成されている。
【０００３】
また、第２収納空間５６には隔壁６５が設けられ、取付ブラケット５７には取付穴５７ａが設けられている。さらに、第１収納空間５５の外壁６６、６７を外側から抱き込むように取付穴６８ａを有する別の取付ブラケット６８が設けられている。この取付ブラケット６８は、上記取付ブラケット５７のカバー本体６０における対角位置にあって、共にアンダカバー５２を車体側に支持固定するようになっている。
【０００４】
上記構成の電気接続箱の取付ブラケット５７においては、第１収納空間５５内にヒューズ５３やリレー５４を収納できると共に、必要に応じて第２収容空間５６にはコネクタ等の他部品を収納することができる。したがって、ヒューズ５３やリレー５４及びコネクタ等の部品をコンパクトに一箇所にまとめてエンジンルーム周壁等の車体フレームに取り付けることができる。
【０００５】
【発明が解決しようとする課題】
上記従来の電気接続箱の取付ブラケット５７においては、図４に示すように取付ブラケット５７を介して車体フレーム７０にボルト締めにより固定されている。そして、第２収納空間５６内にコネクタ等の他部品が収納されていないと、この第２収納空間５６は殆ど空洞状態である。したがって、この電気接続箱５２に図中矢印Ｂ１及びＢ２方向の振動等の作用力Ｆ１及びＦ２が車体フレーム７０を介して伝達されると、第２収納空間５６周辺の外壁６３、６４部分は撓み変形する可能性がある。
【０００６】
すなわち、電気接続箱５２に矢印Ｂ１方向の力Ｆ１が働くと、補強リブ５８を含む取付ブラケット５７が車体フレーム７０に強固に固定されていても、第１収納空間５５の外壁６７が図中二点鎖線(67)で示すように撓むので外壁６３も二点鎖線(71)で示すように最大撓みδ１だけ撓む。また、最大曲げ応力は接合部６１付近に作用することになる。
また、作用力が振動であると、次の瞬間は矢印Ｂ２方向の力Ｆ２が働くから逆方向、即ち第２収納空間５６の内側方向に最大撓みδ１だけ撓み、最大曲げ応力の方向も逆方向になる。したがって、外壁６３は繰り返し応力を受けることになり接合部６１付近で疲労破壊が発生する可能性がある。
【０００７】
また、外壁６４にも振動方向が矢印Ｂ１、Ｂ２に対して直角方向に作用すれば、上述の外壁６３と同様に二点鎖線(72)で示すように最大撓みδ２だけ撓み、最大曲げ応力は接合部６２付近に発生する。
【０００８】
ところで、実際には振動方向は矢印Ｂ１、Ｂ２またはこれに直角な方向ばかりではなく、種々な方向の振動が考えられる。したがって、外壁６３、６４は同時に振動し、最大撓みや最大曲げ応力の大きさはさらに大きくなり、第２収納空間５６の外壁６３、６４の接合部６１、６２付近で疲労破壊を起こし易いという問題があった。
さらに、上記力Ｆ１、Ｆ２は電気接続箱５１の質量が大きく車体フレーム７０の振幅が大きくなる程大きくなるが、車体フレーム７０の振動数が外壁６３、６４を主体とする電気接続箱５１の固有振動数に近づくと共振を起こし、最大撓みδ１、δ２が増大して、一層短時間で疲労破壊を起こすことになる。
【０００９】
本発明の目的は、上記問題点に鑑みてなされたものであり、車体からの振動に対して疲労破壊を起こさない電気接続箱の取付ブラケットを提供することにある。
【００１０】
【課題を解決するための手段】
本発明に係わる上記課題は、複数の電気部品を収納する第１収納空間の一角に他部品を収納する第２収納空間を隔壁を介して備え、該第２収納空間周りの外壁部分に取付ブラケットを有する電気接続箱において、前記取付ブラケットが電気接続箱本体の角部の両外壁に跨って設けられており、該取付ブラケットの電気接続箱本体との接合部が、前記第１収納空間の外壁部分の一部にまで延長して、前記隔壁と直交するように設けられていることを特徴とする電気接続箱の取付ブラケットによって解決することができる。
【００１１】
上記構成の電気接続箱の取付ブラケットによれば、取付ブラケットの電気接続箱本体との接合部が第１収納空間の外壁部分の一部にまで延長して設けられているので、強度的に弱い第２収納空間の外壁が従来より延長された取付ブラケットにより補強され、接合部付近での疲労破壊等を確実に防ぐことができる。よって、電気接続箱の取付ブラケットの耐久性の向上を図ることができる。
【００１２】
【発明の実施の形態】
以下、本発明の電気接続箱の取付ブラケットの一実施形態を図１及び図２に基づいて詳細に説明する。図１は本発明の電気接続箱の取付ブラケットの一実施形態を示す斜視図、図２は図１における平面図である。
【００１３】
図１及び図２に示すように本実施形態の電気接続箱の取付ブラケットにおいては、電気接続箱１の下部を構成するアンダカバー２が外壁１６、１７によって形成されるカバー本体１０と、車体フレームに取付けるための２個の取付ブラケット７、１８から構成されている。このアンダカバー２のカバー本体１０内にはヒューズ３やリレー４等の電気部品を収納する第１収納空間５が形成されている。この第１収納空間５の一角部にはコネクタ等の他部品を収納する第２収納空間６が形成されており、第２収納空間６と第１収納空間５とは隔壁１５によって仕切られている。
【００１４】
また、この第２収納空間６の一部を構成する外壁１３、１４部分の角部に両外壁に跨るように一方の取付ブラケット７が設けられており、対角線上の対向する位置に他方の取付ブラケット１８が設けられている。各々取付ブラケット７、１８には取付けボルトを挿通する取付穴７ａ、１８ａが設けられている。
【００１５】
前記一方の取付ブラケット７は、補強リブ８を含みカバー本体１０と一体化しており、カバー本体１０との接合部１１、１２が、第１収納空間５の外壁１６、１７部分の一部にまで延長して設けられている。すなわち、補強リブ８の延長部分が第２収納空間６の外壁１３、１４及び第１収納空間５の外壁１６、１７の一部を外側から抱き込むように、しかも隔壁１５と直交するように延設され、第２収納空間６の外壁１３、１４部分を補強している。
【００１６】
上述した構成の電気接続箱の取付ブラケット７においては、補強リブ８を含む取付ブラケット７のカバー本体１０との接合部１１、１２が第２収納空間６の外壁１３、１４から第１収納空間５の外壁１６、１７の一部にまで延長して設けられているので、第２収納空間６の外壁１３、１４が補助リブ８を含む取付ブラケット７により補強されることで強度アップする。すなわち、図４に示したような撓みを生じるようなことはなく、接合部１１、１２付近での疲労破壊を確実に防止することができる。よって、耐久性に優れ、信頼性の高い電気接続箱を得ることができる。
【００１７】
なお、第２収納空間内にコネクタが収納されない場合には、ダミー部材を収納することで、さらなる撓み等の防止を図ることができる。
すなわち、第２収納空間にコネクタ等の他部品が収納されていないとき、第２収納空間内に内周寸法に等しい外周寸法を有するダミー部材が嵌入されることで、第２収納空間の外壁の内側方向への撓みを防ぐことができる。したがって、振動等の作用力を受けても大きく撓むようなことはなく、接合部付近での疲労破壊をさらに防止することができ、電気接続箱の一層の耐久性向上を図ることができる。
【００１８】
【発明の効果】
以上説明したように本発明の電気接続箱の取付ブラケットによれば、取付ブラケットの電気接続箱本体との接合部が第１収納空間の外壁部分の一部にまで延長して設けられているので、強度的に弱い第２収納空間の外壁が従来より延長された取付ブラケットにより補強され、接合部付近での疲労破壊等を確実に防ぐことができる。よって、電気接続箱の取付ブラケットの耐久性の向上を図ることができ、信頼性の高い電気接続箱を得ることができる。
【図面の簡単な説明】
【図１】本発明の電気接続箱の取付ブラケットを示す斜視図である。
【図２】図１における平面図である。
【図３】従来の電気接続箱の取付ブラケットを示す平面図である。
【図４】図３における要部の説明図である。
【符号の説明】
１  電気接続箱
２  アンダカバー
５  第１収納空間
６  第２収納空間
７  取付ブラケット
８  補強リブ
１０  カバー本体（電気接続箱本体）
１１、１２  接合部
１３、１４  外壁
１６、１７  外壁
【図１】
0003738938.tif 000002
【図２】
0003738938.tif 000003
【図３】
0003738938.tif 000004
【図４】
0003738938.tif 000005